(57)【要約】【課題】プロジェクタ装置の非使用時に筐体サイズを縮小できるようにする。【解決手段】可動部２を筐体１の光源ランプ７の側に側方に摺動自在に出入できるように設ける。光源ランプの側部に排気用のファン８を側方に向けて設け、ファンと筐体背面の排気口３との間にダクト４を設け、ファンで吸引した空気を排気口から排気する。ダクトは断面コ字形の半ダクト部５と半ダクト部５の開口面を塞ぐ位置に設けたダクト壁部６で構成し、半ダクト部は可動部内に、ダクト壁部は筐体内に設ける。装置の使用時には可動部を引き出し、非使用時には可動部を筐体内に押し込む。半ダクト部は変形自在な材質で形成し、可動部２を筐体内に押し込んだときファンに近い分が容易に変形して圧潰されるようにする。あるいは、ダクトを布状の材質を用いて筒状に形成してもよい。【選択図】  図１
2005017749.tif 000002
【特許請求の範囲】
【請求項１】
本体内部の熱を本体外部へ排出するダクトを筐体内側面に隣接させて備えたプロジェクタ装置において、前記筐体に前記ダクトを出し入れ可能に収納するダクト収納手段を設け、プロジェクタ装置の使用時には前記ダクトを前記筐体から引出し、プロジェクタ装置の非使用時には前記ダクトを前記筐体内に収納してなることを特徴とするプロジェクタ装置。
【請求項２】
前記ダクト収納手段は、前記ダクトを、前記筐体内外を摺動自在で開口面が前記筐体の内方に向けられた断面コ字形の半ダクト部と、同半ダクト部の開口と対応するダクト壁部とで構成し、前記半ダクト部を摺動させて前記筐体内外を出し入れしてなることを特徴とする請求項１記載のプロジェクタ装置。
【請求項３】
前記ダクト収納手段は、前記ダクトを柔軟な部材で圧潰可能な筒状に形成し、前記筐体内外を摺動自在で開口面が同筐体の内方に向けられた可動部内に設け、同可動部を摺動させて前記筐体内外を出し入れしてなることを特徴とする請求項１記載のプロジェクタ装置。
【請求項４】
前記ダクト収納手段は、前記ダクトを伸縮自在な蛇腹状に形成し、同ダクトを伸縮させてなることを特徴とする請求項１記載のプロジェクタ装置。
【請求項５】
前記ダクト収納手段は、前記ダクトを、前記筐体内外を回動自在に一端が軸支され開口面が前記筐体の内方に向けられた断面コ字形の半ダクト部と、同半ダクト部の開口と対応するダクト壁部とで構成し、前記半ダクト部を回動させて前記筐体内外を出し入れしてなることを特徴とする請求項１記載のプロジェクタ装置。
【発明の詳細な説明】
【０００１】
【発明の属する技術分野】
本発明はプロジェクタ装置に係り、非使用時には通気用のダクト部分を圧縮できるようにして装置をコンパクト化するものに関する。
【０００２】
【従来の技術】
液晶パネルを用いたプロジェクタ装置では、投射映像の輝度を上げるため光源に強力なランプを用いており、光源ランプの発熱で筐体内の温度が上昇し、液晶パネルの性能の低下や電子部品の寿命を縮める原因となる。このため、ファンを用いて光源ランプ付近の熱せられた空気を筐体外に排出し、筐体内の温度上昇を抑制している（例えば、特許文献１参照）。ファンは、例えば、図７に示す如く、光源ランプ６２の背後に設け、筐体６１の前面の排気口６４から熱気を排出するようにすればよいが、この場合、排気口６４から光線が漏れたりファン６３の回転による騒音が漏れ、視聴者の耳につきやすい等の問題が生じる。このため、例えば、図８に示す如く、ファン７３を光源ランプ６２の側部に側方に向けて配置し、筐体７１内の側部に排気用のダクト７４を設け、ファン７３からの排気をダクト７４で筐体７１の背面に導き、排気口７２から排出させることにより、筐体前面からの光線漏れをなくし、騒音漏れを気にならないようにすることができる。しかし、この場合、筐体７１内にダクト７４を設けるスペースが必要となり、筐体７１の外形寸法がダクト７４の分だけ大きくなるという問題が生じる。なお、６５は光学系部分、６６は投射レンズ、６７は電源部である。
【０００３】
【特許文献１】
特開２００２−２５８２４８号公報（第２−３頁、図４、図５）
【０００４】
【発明が解決しようとする課題】
本発明は以上述べた問題点を解決し、ファンによる排気風を筐体の後方から排出するためのダクトを変形可能にし、ダクトを収納する部分を筐体に出し入れ可能な構造とし、プロジェクタ装置の非使用時にはダクト部分を筐体内に押し込むか、あるいはダクト部分を圧潰できるようにし、非使用時の装置のコンパクト化を図ることを目的とする。
【０００５】
【課題を解決するための手段】
本発明は上述の課題を解決するため、本体内部の熱を本体外部へ排出するダクトを筐体内側面に隣接させて備えたプロジェクタ装置において、前記筐体に前記ダクトを出し入れ可能に収納するダクト収納手段を設け、プロジェクタ装置の使用時には前記ダクトを前記筐体から引出し、プロジェクタ装置の非使用時には前記ダクトを前記筐体内に収納するようにする。
【０００６】
前記ダクト収納手段は、前記ダクトを、前記筐体内外を摺動自在で開口面が前記筐体の内方に向けられた断面コ字形の半ダクト部と、同半ダクト部の開口と対応するダクト壁部とで構成し、前記半ダクト部を摺動させて前記筐体内外を出し入れすることによる。
【０００７】
または、前記ダクトを柔軟な部材で圧潰可能な筒状に形成し、前記筐体内外を摺動自在で開口面が同筐体の内方に向けられた可動部内に設け、同可動部を摺動させて前記筐体内外を出し入れすることによる。
【０００８】
または、前記ダクトを伸縮自在な蛇腹状に形成し、同ダクトを伸縮させることによる。
【０００９】
または、前記ダクトを、前記筐体内外を回動自在に一端が軸支され開口面が前記筐体の内方に向けられた断面コ字形の半ダクト部と、同半ダクト部の開口と対応するダクト壁部とで構成し、前記半ダクト部を回動させて前記筐体内外を出し入れすることによる。
【００１０】
【発明の実施の形態】
以下、図面に基づいて本発明によるプロジェクタ装置を詳細に説明する。
図１および図２は本発明によるプロジェクタ装置の一実施例を示す図で、図１はプロジェクタ装置の使用時、図２は非使用時のもので、共に、（イ）は要部背面図、（ロ）は要部上面断面図である。図において、１はプロジェクタ装置の筐体、２は断面コ字形の可動部、３は排気口、４はダクトで、５は変形自在な材質で可動部２内に形成された断面コ字形の半ダクト部、６は筐体１内に形成されたダクト壁部で、半ダクト部５の開口面がダクト壁部６で塞がれてダクト４が形成される。７は光源ランプ、８は排気用のファン、９は光学系部分、１０は投射レンズ、１１は電源部、１２はダクト壁部６を光学系部分９に固定する腕部である。図３は可動部２に係わる部分の図で、（イ）は要部分解上面図、（ロ）はＡ−Ａ′矢視図、（ハ）は分解時のＢ−Ｂ′矢視図、（ニ）は使用時のＢ−Ｂ′矢視部分、（ホ）は非使用時のＢ−Ｂ′矢視部分を示す。
図４〜図６は本発明によるプロジェクタ装置の他の実施例を示す要部上面断面図で、図４の３１は風を通さない布状の材質で筒状に形成されたダクト、図５の４１は伸縮自在に形成された蛇腹状のダクト、図６の５１は可動部、５２は可動部５１を回動自在に軸支する支軸で、その他の符号は図１と同じであるので説明を省く。
【００１１】
以上の構成において、次にその動作を説明する。
まず、図１において、光源ランプ７からの白色光線は光学系部分９に入り、色分解系で赤、緑、青の三色に分解され、赤、緑、青色用の三枚の液晶パネルに入射し、赤、緑、青の各色の映像信号で変調されて三色の映像光線となり、色合成系で合成され、投射レンズ１０でスクリーンに投射される。１１は光源ランプ７やファン８や電子回路（図示せず）に電源を供給する電源部である。光源ランプ７の発熱で熱せられた空気は冷却用のファン８で吸引され、ダクト４を通り、筐体１の背面の排気口３から後方に排出される。
【００１２】
プロジェクタ装置を使用しないときは、図２に示すように可動部２を矢印の方向に筐体１内に押し込む。図３（イ）に示す分解図のように、可動部２は上面と下面（図示せず）にそれぞれ二〜三本の凸条部２１を形成し、凸条部２１の二箇所に凹部２３と凹部２４を形成する。筐体１の上下内面には各凸条部２１に対応する溝部２２を形成し、溝部２２には凸部２５を形成しておく。そして、装置使用時には、可動部２を筐体１から引き出せば、可動部２の凸条部２１の凹部２４が筐体１の溝部２２の凸部２５に係合し、可動部２は図３（ニ）に示す位置に係止される。装置を使用しないときは、可動部２を筐体１内に押し込めば、凹部２４と凸部２５の係合が外れて可動部２が筐体１内に入り、可動部２の凸条部２１の凹部２３が筐体１の溝部２２の凸部２５に係合し、可動部２は図３（ホ）に示す位置に係止される。これにより、装置のサイズをコンパクトにすることができる。
【００１３】
図３（ハ）に示すように、可動部２の内側にはダクト４を構成する断面コ字形の半ダクト部５が設けられ、筐体１内にはダクト壁部６が設けられている。装置の使用時には、可動部２を筐体１から引き出せば、図３（ニ）に示す如く、ダクト壁部６が半ダクト部５の開口面を塞ぐ位置になり、ダクト４が形成される。非使用時には、可動部２を筐体１に押し込むことにより、図３（ホ）に示す如く、半ダクト部５がダクト壁部６を内奥に抱き込みながら筐体１内に入り込み、ダクト４の断面積が圧縮される。なお、半ダクト部５を変形自在な材質で形成することにより、図３（ホ）の如くに可動部２を筐体１内に押し込んだとき、ファン８に近い部分が容易に変形されるようにしておく。なお、ダクト壁部６の後部は腕部１２で光学系部分９に固定されている。
【００１４】
また、図４に示すように、ダクト３１を、例えば、風を通さない布状の材質を用いて両端を開口とする筒状に形成し、開口の一端をファン８に、他端を排気口３にそれぞれ連結させるようにしてもよい。これにより、装置使用時には可動部２を筐体１から引き出せばダクト３１が膨らみ、ファン８からの排気風はダクト３１を通って排気口３から排出され、非使用時には、可動部２を図４の矢印のように筐体１に押し込むことにより、ダクト３１は図４に示す如くに圧潰されて可動部２が筐体１内に収まるので、筐体全体のサイズをコンパクトにできる。
【００１５】
また、図５に示すように、ダクト４１を伸縮自在な蛇腹状に形成してもよい。この場合は可動部２は設けず、筐体１の側面にダクト４１を通す孔を穿設しておく。装置使用時には蛇腹状のダクト４１を筐体１から引き出し、図の如く後方に曲げてファン８からの排気を後方に排出させる。ダクト４１を曲げることによりファン８の隙間から漏れる光源ランプ７からの光線がこの曲がりで遮られ、外に漏れないようになる。装置の非使用時は、ダクト４１を縮めて筐体１に押し込み、筐体全体のサイズをコンパクトにする。
【００１６】
また、図６に示すように、断面コ字形の可動部５１の前端部（投射レンズ１０寄り）を筐体１に支軸５２で回動自在に軸支し、半ダクト部６を可動部５１の内側に取り付けてもよい。可動部５１には、後端寄りの上下外面に図３（イ）の凸条部２１のような凸条部を円弧状に形成し、この凸条部に対応する溝部を筐体１の上下内面に形成し、凸条部に図３（イ）の如く凹部を二箇所、溝部に凸部を一箇所設ける。装置使用時には可動部５１を支軸５２を軸に回動させて図６の位置に引き出し、ファン８からの排気を排気口３から排出する。装置の非使用時には可動部５１を矢印のように回動させ、後端部を筐体１内に押し込み、筐体全体のサイズをコンパクトにする。可動部５１は、筐体１から引き出した位置と押し込んだ位置でそれぞれ凸条部の凹部が筐体１内の溝部の凸部と係合するので、それぞれの位置で係止される。
【００１７】
【発明の効果】
以上に説明したように、本発明によるプロジェクタ装置によれば、筐体の光源ランプ側の側部を、筐体から摺動自在または回動式に出し入れできる可動部とし、光源ランプの側部の排気用のファンからの排気風を可動部に形成されたダクトで筐体の後方に送り、背面の排気口から排出するようにしたもので、ダクトを、可動部の内部に変形可能に形成された断面コ字形の半ダクト部と、筐体内に設けられたダクト壁部とで形成するか、または、風圧に耐える布状の材質を用いて筒状に形成するか、あるいは伸縮自在な蛇腹状に形成するものであるから、プロジェクタ装置の使用時には、可動部を筐体から引き出す、あるいは蛇腹状のダクトを引き出すことにより、ファンからの排気風はこれらのダクトを通って装置の後方に排出され、プロジェクタ装置の非使用時には、可動部または蛇腹状のダクトを筐体内に押し込むことによりダクトのスペースが縮まるので、非使用時の筐体全体のサイズを縮めることができ、収納の際や移動の際に好都合である。
【図面の簡単な説明】
【図１】本発明によるプロジェクタ装置の一実施例を示す使用時の図で、（イ）は要部背面図、（ロ）は要部上面断面図である。
【図２】図１の非使用時を示す図で、（イ）は要部背面図、（ロ）は要部上面断面図である。
【図３】図１、図２の可動部に係わる部分の詳細図で、（イ）は上面図、（ロ）は（イ）のＡ−Ａ′矢視図、（ハ）はＢ−Ｂ′矢視図、（ニ）は使用時のＢ−Ｂ′矢視部分、（ホ）は非使用時のＢ−Ｂ′矢視部分を示す。
【図４】本発明によるプロジェクタ装置の他の実施例を示す要部上面断面図である。
【図５】本発明によるプロジェクタ装置の他の実施例を示す要部上面断面図である。
【図６】本発明によるプロジェクタ装置の他の実施例を示す要部上面断面図である。
【図７】従来のプロジェクタ装置の一例を示す図で、（イ）は要部上面図、（ロ）は要部正面図である。
【図８】従来のプロジェクタ装置の他の例を示す図で、（イ）は要部背面図、（ロ）は要部上面図である。
【符号の説明】
１、６１、７１  筐体
２、５１  可動部
３、６４、７２  排気口
４、３１、４１  ダクト
５  半ダクト部
６  ダクト壁部
７、６２  光源ランプ
８、６３、７３  ファン
９、６５  光学系部分
１０、６６  投射レンズ
１１、６７  電源部
２１  凸条部
２２  溝部
２３、２４  凹部
２５  凸部
５２  支軸
【図１】
2005017749.tif 000003
【図２】
2005017749.tif 000004
【図３】
2005017749.tif 000005
【図４】
2005017749.tif 000006
【図５】
2005017749.tif 000007
【図６】
2005017749.tif 000008
【図７】
2005017749.tif 000009
【図８】
2005017749.tif 000010